(57)【要約】      （修正有）【課題】特に折畳み可能な椅子に吸着力で取付けられるクッションにおいて、外れ難くすることができる椅子用クッションを提供する。【解決手段】椅子の座面や背凭れに取付けられるクッションにおいて、表層材１１と、クッション材１３と、真空吸着材１２との少なくとも３層の材料で構成し、外周縁部１４をオーバーロック加工１５によって潰しておく。したがって、真空吸着材１２によって、椅子に紐を掛けたりするようなことはなく、置くだけで、椅子の折畳みなどに対しても、吸着しているクッションを実現することができる。また、そのように紐などによる固定よりも弱い力で固定することになっても、外周縁部１４がオーバーロック加工１５によって潰されていることで、使用者が座る際の使用者への引っ掛かりを少なくし、捲れ（ズレ）難くすることができる。【選択図】図２
0003201888.tif 000002
【実用新案登録請求の範囲】
【請求項１】
椅子の座面および背凭れの少なくとも一方に取付けられるクッションにおいて、
表層材と、
前記座面または背凭れに真空吸着する真空吸着材と、
前記表層材と真空吸着材との間に封入されるクッション材とを含み、
外周縁部が、オーバーロック加工によって、解れ止めが行われるとともに、前記クッション材が圧縮され、厚みが薄くなっていることを特徴とする椅子用クッション。
【請求項２】
円盤状に形成されることを特徴とする請求項１記載の椅子用クッション。
【請求項３】
前記表層材、クッション材、真空吸着材は、それぞれ、ポリエステル、ポリウレタンフォーム、ポリ塩化ビニルから成ることを特徴とする請求項１または２記載の椅子用クッション。
【請求項４】
前記真空吸着材は、発泡した前記ポリ塩化ビニルを層状に延ばし、乾燥して成ることで、多数の気孔を備えていることを特徴とする請求項３記載の椅子用クッション。
【考案の詳細な説明】
【技術分野】
【０００１】
本考案は、椅子の座面や背凭れに取付けられて使用される椅子用クッションに関する。
【背景技術】
【０００２】
従来から、椅子の座面や背凭れに、クッションを取付けることが行われている。それによって、座り心地の改善を始め、季節によって雰囲気を変えたり、或いは古くなった椅子の再生などの効果を得ることができる。そのような場合、従来では、特に座布団カバーに広く用いられる手法では、座板や背凭れに紐で括り付けて固定が行われている。
【０００３】
そこで、手軽に着脱できるように、前記座布団カバーの例であるが、特許文献１では、裏面を吸着シートとして、置くだけで、座面からズレないようにしている。
【先行技術文献】
【特許文献】
【０００４】
【特許文献１】特開２０１１−１２５４１２号公報
【考案の概要】
【考案が解決しようとする課題】
【０００５】
特許文献１は、座布団カバーで、椅子の座面には、座布団が敷かれることになる。元々、座布団は厚みがあり、中綿や、それを覆う布地の重量も比較的大きく、置くだけで、座ったり立ったりしても、ズレは少ない。しかしながら、クッション、特に薄手のクッションは、軽く、座ったり立ったりすると、ズレ易い。一方で、特許文献１の座布団カバーは、座面からズレ難くはなっているものの、座布団の重さのために、折畳みの椅子を畳むなどした場合は、簡単に外れてしまう。
【０００６】
本考案の目的は、椅子の座面および背凭れの少なくとも一方に取付けられるクッションにおいて、紐を掛けたりするようなことはなく、置くだけで、椅子の折畳みなどに対しても、吸着している椅子用クッションを提供することである。
【課題を解決するための手段】
【０００７】
本考案の椅子用クッションは、椅子の座面および背凭れの少なくとも一方に取付けられるクッションにおいて、表層材と、前記座面または背凭れに真空吸着する真空吸着材と、前記表層材と真空吸着材との間に封入されるクッション材とを含み、外周縁部が、オーバーロック加工によって、解れ止めが行われるとともに、前記クッション材が圧縮され、厚みが薄くなっていることを特徴とする椅子用クッション。
【０００８】
上記の構成によれば、椅子の座面および背凭れの少なくとも一方に取付けられるクッションにおいて、該クッションは、表層材と、クッション材と、真空吸着材との少なくとも３層の材料で構成される。そして、真空吸着材は、たとえば発泡させた合成樹脂組成物を層状に延ばし、乾燥して構成されており、そのため多数の気孔を備えており、使用者の臀部や背中が接触して押圧されると、前記気孔から空気が抜けて、前記座面または背凭れに真空吸着して、滑り止め機能を発揮する。
【０００９】
したがって、椅子の座面または背凭れに紐を掛けたりするようなことはなく、置くだけで、椅子の折畳みなどに対しても、吸着しているクッションを実現することができる。また、そのように紐などによる固定よりも弱い力で固定することになっても、外周縁部がオーバーロック加工によって潰されていることで、使用者が座る際の使用者への引っ掛かりを少なくし、捲れ（ズレ）難くすることができる。
【００１０】
また、本考案の椅子用クッションは、円盤状に形成されることを特徴とする。
【００１１】
上記の構成によれば、隅角部が無いので、弱い真空吸着でも、より捲れ難く（引っ掛かり難く）することができる。
【００１２】
さらにまた、本考案の椅子用クッションでは、前記表層材、クッション材、真空吸着材は、それぞれ、ポリエステル、ポリウレタンフォーム、ポリ塩化ビニルから成ることを特徴とする。
【００１３】
上記の構成によれば、真空吸着材の吸着機能を保持しつつ、通常の洗濯用洗剤で、丸洗いすることができる。
【００１４】
また、本考案の椅子用クッションでは、前記真空吸着材は、発泡した前記ポリ塩化ビニルを層状に延ばし、乾燥して成ることで、多数の気孔を備えていることを特徴とする。
【考案の効果】
【００１５】
本考案の椅子用クッションは、以上のように、椅子の座面および背凭れの少なくとも一方に取付けられるクッションにおいて、表層材と、クッション材と、真空吸着材との少なくとも３層の材料で構成し、外周縁部をオーバーロック加工によって潰しておく。
【００１６】
それゆえ、真空吸着材によって、椅子に紐を掛けたりするようなことはなく、置くだけで、椅子の折畳みなどに対しても、吸着しているクッションを実現することができる。また、そのように紐などによる固定よりも弱い力で固定することになっても、外周縁部がオーバーロック加工によって潰されていることで、使用者が座る際の使用者への引っ掛かりを少なくし、捲れ（ズレ）難くすることができる。
【図面の簡単な説明】
【００１７】
【図１】本考案の実施の一形態に係る椅子用クッションの使用状態を示す斜視図である。
【図２】前記椅子用クッションの厚み方向の断面図である。
【図３】前記椅子用クッションの使用状態を示す斜視図である。
【考案を実施するための形態】
【００１８】
図１は、本考案の実施の一形態に係る椅子用クッション（以下、クッションと言う）１の使用状態を示す斜視図である。このクッション１は、椅子２の座面２１および背凭れ２２の少なくとも一方に取付けて使用される（図１の例では座面２１に取付けている）。これによって、座り心地の改善を図ることができ、特に座面２１や背凭れ２２が、木材、硬質のプラスチック或いは金属などのままの場合に好適である。また、このクッション１を用いることで、季節によって雰囲気を変えたり、古くなった椅子２の再生などを行うことができる。
【００１９】
図２は、クッション１の厚み方向の断面図である。クッション１は、表層材１１と、座面２１または背凭れ２２に真空吸着する真空吸着材１２と、表層材１１と真空吸着材１２との間に封入されるクッション材１３との少なくとも３層を備えて構成される。たとえば、表層材１１は布地１１１に起毛１１２処理を施したポリエステルのパイル織物から成り、クッション材１３はポリウレタンフォームから成り、真空吸着材１２はポリ塩化ビニルから成る。
【００２０】
本実施形態では、クッション１は、上述の３層で構成されるけれども、機能性向上などのために、具体的には、たとえば消臭効果を得たり、クッション性を向上したり、或いは意匠性を向上したりするために、他の層が追加されていてもよい。また、価格面などに対応して、表層材１１としては、前記ポリエステル以外の生地が用いられたり、パイル織物以外が用いられたりしてもよく、クッション材１２としては、その厚みが変化されるなどしてもよい。
【００２１】
真空吸着材１２は、たとえば発泡したポリ塩化ビニルを層状に延ばし、乾燥して成ることで、多数の気孔１２１を備えている。そして、使用者が最初に椅子２に腰掛けたり凭れたりして該クッション１に体圧が加わると、或いは使用者が該クッション１をそれらに当てて意図的に押えたりすると、クッション材１３の気孔１３１が潰れて該クッション材１３が縮むとともに、真空吸着材１２の気孔１２１も潰れ、外表面１２２に開口している気孔から空気が逃げる。このとき、該真空吸着材１２の粘着性で、その開口回りと、座面２１や背凭れ２２の表面との間が密着し、該真空吸着材１２への圧が弱まり、該真空吸着材１２が復元しようとすると、前記気孔１２１内が負圧になることで、該真空吸着材１２の粘着性に加えて、真空吸着力が発生する。
【００２２】
これによって、椅子２の座面２１または背凭れ２２に紐を掛けたりするようなことはなく、置くだけで、椅子２の折畳みなどに対しても、吸着しているクッションを実現することができる。また、図３で示すように、使用者４が、クッション１の外周縁部１４から該クッション１を捲り上げることで、順次前記気孔１２１に空気が侵入して真空吸着が解消してゆき、座面２１や背凭れ２２から簡単に取外すことができる。
【００２３】
一方、本実施形態のクッション１は、紐などによる固定よりも弱い真空吸着力で固定され、上述のように外周縁部１４を捲り上げることで容易に取外せるので、さらに注目すべきは、前記外周縁部１４がオーバーロック加工１５によって潰されていることである。このオーバーロック加工１５によって、３層、特に表層材１１の外周縁部１４の解れ止めが行われるとともに、クッション材１３が圧縮され、厚みが薄くなっている。したがって、使用者４が座る際の使用者４への引っ掛かりを少なくし、捲れ（ズレ）難くすることができる。
【００２４】
また、クッション１は、円盤状に形成されるので、隅角部が無く、弱い真空吸着力でも、より捲れ難く（引っ掛かり難く）することができる。さらにまた、表層材１１がポリエステル、クッション材１３がポリウレタンフォーム、真空吸着材１２がポリ塩化ビニルから成ることで、真空吸着材１２の吸着機能を保持しつつ、通常の洗濯用洗剤で、丸洗いすることができる。これによって、衛生的であるとともに、ゴミの付着などによる真空吸着材１２の吸着力の低下を再生することができる。
【符号の説明】
【００２５】
１    椅子用クッション
１１    表層材
１１１  布地
１１２  起毛
１２    真空吸着材
１２１  気孔
１３    クッション材
１３１  気孔
１４    外周縁部
１５    オーバーロック加工
２    椅子
２１    座面
２２    背凭れ
４    使用者
【図１】
0003201888.tif 000003
【図２】
0003201888.tif 000004
【図３】
0003201888.tif 000005